(57)【特許請求の範囲】
【請求項１】
動画の入力を受け付け、
前記動画から、静止画として表示するための１以上のフレームを抽出し、
前記動画が再生されている状態の表示領域のいずれかの位置に対する図形または文字の入力を受け付け、
受け付けた前記図形または文字を、前記動画を表示する表示領域の前記いずれかの位置に重畳して出力するとともに、前記静止画として表示されるフレームの表示領域の前記いずれかの位置に対応する位置にも重畳して出力する
コンピュータが実行する画像編集方法。
【請求項２】
前記出力する処理は、抽出した１以上の前記フレームの全てに対して、前記図形または文字を重畳して出力することを特徴とする請求項１記載の画像編集方法。
【請求項３】
前記動画に対する図形または文字の入力を受け付ける処理は、該動画のうちの一部の画像に対する入力を受け付け、
前記出力する処理は、抽出した１以上の前記フレームのうち、前記図形または文字の入力を受け付けた前記動画のうちの一部の画像に対応するフレームに対して、前記図形または文字を重畳して出力する
ことを特徴とする請求項１記載の画像編集方法。
【請求項４】
動画の入力を受け付け、
前記動画から、静止画として表示するための１以上のフレームを抽出し、
抽出した１以上の前記フレームのうち、前記静止画として表示された第一のフレームの各々に対する図形または文字の入力を受け付け、
前記第一のフレームの各々に対して受け付けた前記図形または文字を、前記静止画として表示された第一のフレームの各々に重畳して出力するとともに、前記動画に含まれる複数のフレームのうち、前記第一のフレームの各々を含む動画区間の各々にも重畳し、前記動画区間が重複する場合には、重複する前記動画区間において、予め定めた優先度が高い前記第一のフレームに対する前記図形または文字を重畳した状態で、該動画を出力する
コンピュータが実行する画像編集方法。
【請求項５】
前記出力する処理は、受け付けた前記図形または文字を、前記第一のフレーム以後のフレーム全てに重畳させる請求項４記載の画像編集方法。
【請求項６】
動画の入力を受け付ける第１受付部と、
前記動画から、静止画として表示するための１以上のフレームを抽出する抽出部と、
前記動画が再生されている状態の表示領域のいずれかの位置に対する図形または文字の入力を受け付ける第２受付部と、
受け付けた前記図形または文字を、前記動画を表示する表示領域の前記いずれかの位置に重畳して出力するとともに、前記静止画として表示されるフレームの表示領域の前記いずれかの位置に対応する位置にも重畳して出力する出力部と、
を含む画像編集装置。
【請求項７】
動画の入力を受け付ける第１受付部と、
前記動画から、静止画として表示するための１以上のフレームを抽出する抽出部と、
抽出した１以上の前記フレームのうち、前記静止画として表示された第一のフレームの各々に対する図形または文字の入力を受け付ける第２受付部と、
前記第一のフレームの各々に対して受け付けた前記図形または文字を、前記静止画として表示された第一のフレームの各々に重畳して出力するとともに、前記動画に含まれる複数のフレームのうち、前記第一のフレームの各々を含む動画区間の各々にも重畳し、前記動画区間が重複する場合には、重複する前記動画区間において、予め定めた優先度が高い前記第一のフレームに対する前記図形または文字を重畳した状態で、該動画を出力する出力部と、
を含む画像編集装置。
【請求項８】
動画の入力を受け付け、
前記動画から、静止画として表示するための１以上のフレームを抽出し、
前記動画が再生されている状態の表示領域のいずれかの位置に対する図形または文字の入力を受け付け、
受け付けた前記図形または文字を、前記動画を表示する表示領域の前記いずれかの位置に重畳して出力するとともに、前記静止画として表示されるフレームの表示領域の前記いずれかの位置に対応する位置にも重畳して出力する
処理をコンピュータに実行させるための画像編集プログラム。
【請求項９】
動画の入力を受け付け、
前記動画から、静止画として表示するための１以上のフレームを抽出し、
抽出した１以上の前記フレームのうち、前記静止画として表示された第一のフレームの各々に対する図形または文字の入力を受け付け、
前記第一のフレームの各々に対して受け付けた前記図形または文字を、前記静止画として表示された第一のフレームの各々に重畳して出力するとともに、前記動画に含まれる複数のフレームのうち、前記第一のフレームの各々を含む動画区間の各々にも重畳し、前記動画区間が重複する場合には、重複する前記動画区間において、予め定めた優先度が高い前記第一のフレームに対する前記図形または文字を重畳した状態で、該動画を出力する
処理をコンピュータに実行させるための画像編集プログラム。
【請求項１０】
動画の入力を受け付け、
前記動画から複数の静止画を抽出し、
前記動画が再生されている状態の表示領域のいずれかの位置に対する図形または文字の入力を受け付け、
受け付けた前記図形または文字を、複数の静止画のそれぞれに対して所定の動画反映ルールに基づき前記静止画の表示領域の前記いずれかの位置に対応する位置に重畳させた状態で、前記複数の静止画の内の２枚以上の静止画を並べて出力する
コンピュータが実行する画像編集方法。
【請求項１１】
動画の入力を受け付ける第１受付部と、
前記動画から複数の静止画を抽出する抽出部と、
前記動画が再生されている状態の表示領域のいずれかの位置に対する図形または文字の入力を受け付ける第２受付部と、
受け付けた前記図形または文字を、複数の静止画のそれぞれに対して所定の動画反映ルールに基づき前記静止画の表示領域の前記いずれかの位置に対応する位置に重畳させた状態で、前記複数の静止画の内の２枚以上の静止画を並べて出力する出力部と、
を含む画像編集装置。
【請求項１２】
動画の入力を受け付け、
前記動画から複数の静止画を抽出し、
前記動画が再生されている状態の表示領域のいずれかの位置に対する図形または文字の入力を受け付け、
受け付けた前記図形または文字を、複数の静止画のそれぞれに対して所定の動画反映ルールに基づき前記静止画の表示領域の前記いずれかの位置に対応する位置に重畳させた状態で、前記複数の静止画の内の２枚以上の静止画を並べて出力する
処理をコンピュータに実行させるための画像編集プログラム。
【発明の詳細な説明】
【技術分野】
【０００１】
本発明は、画像編集方法、画像編集装置、及び画像編集プログラムに関する。
【背景技術】
【０００２】
従来、ビデオ・ディスプレー上に指導者又は受講者のスポーツ、演技又は行為等のビデオ動画を１コマずつの静止画とする体の動かし方を指導するための方法が提案されている。この方法では、静止画の上にそのコマを特徴付けている体の基本線をなぞって記入し、その線を画面上に残したまま次のコマに画面を切り換え、さらにその画像の上にそのコマを特徴付けている体の基本線をなぞって記入する。そして、次々とそのコマに於ける体の基本線をなぞって記入し、最後にそのスポーツ、演技又は行為等の画像を消去し、動画の代りに複数の基本線群のみを一画面上に表示し、その体の基本線の変化を受講者に理解させる。
【先行技術文献】
【特許文献】
【０００３】
【特許文献１】特開２００３−１５６９９４号公報
【発明の概要】
【発明が解決しようとする課題】
【０００４】
上記のように、従来の動画を用いた指導方法では、静止画上に記入した基本線群のみを表示しているが、動画または動画に含まれる静止画に対して行われた描画を、動画または動画に含まれる静止画と共に確認したい場合もある。
【０００５】
本発明は、一つの側面として、動画に対して行われた描画を静止画に反映させること、または静止画対して行われた描画を動画に反映させることを目的とする。
【課題を解決するための手段】
【０００６】
一つの態様では、動画の入力を受け付け、前記動画から、静止画として表示するための１以上のフレームを抽出し、前記動画を表示する表示画像上のいずれかの位置に対する図形または文字の入力を受け付ける。そして、受け付けた前記図形または文字を、前記動画を表示する表示画像上の前記いずれかの位置に重畳して出力するとともに、前記静止画として表示されるフレームの表示画像上の前記いずれかの位置に対応する位置にも重畳して出力する。
【発明の効果】
【０００７】
一つの側面として、動画に対して行われた描画を静止画に反映させること、または静止画対して行われた描画を動画に反映させることができる、という効果を有する。
【図面の簡単な説明】
【０００８】
【図１】第１及び第２実施形態に係る動画評価システムの機能ブロック図である。
【図２】第１実施形態における動画評価情報データベースの各テーブルの一例を示す図である。
【図３】評価者用画面の一例を示す概略図である。
【図４】ユーザ用画面の一例を示す概略図である。
【図５】第１及び第２実施形態に係る画像編集装置として機能するコンピュータの概略構成を示すブロック図である。
【図６】ユーザ用処理の一例を示すフローチャートである。
【図７】第１実施形態における評価者用処理の一例を示すフローチャートである。
【図８】閲覧処理の一例を示すフローチャートである。
【図９】評価依頼時の処理を示すシーケンス図である。
【図１０】評価時の処理を示すシーケンス図である。
【図１１】閲覧時の処理を示すシーケンス図である。
【図１２】動画への評価図形の描画を説明するためのイメージ図である。
【図１３】静止画への評価図形の反映を説明するためのイメージ図である。
【図１４】動画への評価図形の反映を説明するためのイメージ図である。
【図１５】動画への評価図形の反映を説明するためのイメージ図である。
【図１６】第２実施形態における動画評価情報データベースの各テーブルの一例を示す図である。
【図１７】静止画への評価図形の描画を説明するためのイメージ図である。
【図１８】動画への評価図形の反映を説明するためのイメージ図である。
【図１９】静止画への評価図形の反映を説明するためのイメージ図である。
【図２０】第２実施形態における評価者用処理の一例を示すフローチャートである。
【発明を実施するための形態】
【０００９】
以下、図面を参照して本発明に係る実施形態の一例を詳細に説明する。
【００１０】
＜第１実施形態＞
図１に示すように、第１実施形態に係る動画評価システム１００は、画像編集装置１０と、複数のユーザ端末３１と、複数の評価者端末３２とを含む。画像編集装置１０と、複数のユーザ端末３１の各々、及び複数の評価者端末３２の各々とは、ネットワークを介して接続されている。動画評価システム１００では、ユーザ端末３１及び評価者端末３２の各々で動作するウェブブラウザを介して、動画評価システム１００によるサービスが提供される。具体的には、ユーザがユーザ端末３１から送信した動画データが示す動画に対して、評価者が評価者端末３２で評価を行う。画像編集装置１０では、動画に対する評価者の評価に応じて、動画データ及び動画データを構成する各フレームが示す静止画に対する画像編集を行い、評価結果をユーザ端末３１へ返信する。
【００１１】
ユーザ端末３１及び評価者端末３２は、パーソナルコンピュータ、タブレット端末、スマートフォン、携帯電話等の端末装置である。
【００１２】
画像編集装置１０は、図１に示すように、評価依頼受付部１１と、静止画抽出部１２と、評価図形受付部１３と、出力部１４とを含む。評価依頼受付部１１は本発明の第１受付部の一例であり、静止画抽出部１２は本発明の抽出部の一例であり、評価図形受付部１３は第２受付部の一例である。また、画像編集装置１０は、記憶部２０を含み、記憶部２０には、動画評価情報データベース（ＤＢ）２１と、動画記憶部２２と、評価図形記憶部２３とが含まれる。また、動画評価情報ＤＢ２１は、図２に示すように、動画評価情報テーブル２１Ａと、静止画用テーブル２１Ｂと、動画用テーブル２１Ｃとを含む。以下、各機能部及び動画評価情報ＤＢ２１の各テーブルについて詳述する。
【００１３】
評価依頼受付部１１は、ユーザ端末３１から送信された評価依頼を受け付ける。評価依頼には、評価対象の動画を示す動画データ、及び評価依頼を送信したユーザを識別するためのユーザＩＤが含まれる。また、評価依頼には、評価者に対するコメント等のテキストデータを含めることもできる。なお、過去に受け付け済みの動画を評価対象の動画とする場合には、評価対象の動画を示す動画データに変えて、評価対象の動画を指定する情報を評価依頼に含めてもよい。評価依頼受付部１１は、受け付けた評価依頼に含まれる動画データを動画記憶部２２に記憶する。
【００１４】
また、本実施形態では、同一の動画に対して異なる複数の評価依頼を受け付けることも可能としている。そこで、評価依頼受付部１１は、評価依頼毎に、評価依頼を識別するための動画評価ＩＤを付与する。そして、評価依頼受付部１１は、動画評価ＩＤに、ユーザＩＤ及び評価対象の動画を識別するための動画ＩＤを対応付けて、例えば、図２に示すような動画評価情報テーブル２１Ａに登録する。動画ＩＤは、動画データのファイル名や、動画データが記憶された動画記憶部２２上の位置を示すパスなどとすることができる。なお、図２に示す動画評価情報テーブル２１Ａには、「評価者ＩＤ」の項目も含まれるが、評価依頼受付部１１が動画を受け付けた段階では、「評価者ＩＤ」の項目はブランクである。
【００１５】
静止画抽出部１２は、動画データを構成する各フレームから、静止画として表示するための所定数のフレームを、静止画抽出ルールに従って抽出する。静止画抽出ルールとしては、例えば、１０フレーム目、５０フレーム目、１００フレーム目、・・・のように予め定めたパターンでフレームを抽出するルールとすることができる。また、直接抽出するフレームを定めるのではなく、１秒目、２秒目、３秒目・・・のように動画の開始時からの時間を定めたパターンとしてもよい。
【００１６】
また、静止画抽出ルールとして、評価者から抽出するフレームの指定を受け付け、指定されたフレームを抽出するルールとしてもよい。評価者は、例えば、動画をコマ送り再生するなどして、所望のフレームを指定することができる。この場合も、抽出するフレームの指示に限らず、時間による指定を受け付けてもよい。なお、抽出するフレームが時間で指定された場合は、指定された時間に対応するフレームを抽出すればよい。さらに、静止画抽出ルールとして、予め定めた特徴を示すフレームを抽出するルールとしてもよい。予め定めた特徴を示すフレームは、例えば、パターンマッチングや、フレームが示す画像から抽出した特徴量と予め学習された学習モデルとの比較などにより抽出することができる。
【００１７】
静止画抽出部１２は、静止画として表示するためのフレームを抽出するための静止画抽出ルール、または実際に抽出したフレームのフレームＩＤを、動画評価ＩＤと対応付けて、図２に示すような静止画用テーブル２１Ｂに登録する。フレームＩＤは、開始フレームからの通し番号である。なお、図２に示す静止画用テーブル２１Ｂには、「評価図形ＩＤ」の項目も含まれるが、後述する評価図形データが記憶されていない段階では、「評価図形ＩＤ」の項目はブランクである。
【００１８】
評価図形受付部１３は、評価者端末３２において、評価者が動画を評価するために描画した図形または文字（以下、「評価図形」という）を示す評価図形データを受け付け、受け付けた評価図形データを評価図形記憶部２３に記憶する。評価図形の描画は、後述するように、評価者端末３２において動画が再生される表示領域に対して行われる。評価図形データは、表示領域のどの位置に対して描画が行われたかを示す座標データ群と刷ることができる。また、評価図形受付部１３は、評価図形を識別するための評価図形ＩＤを評価図形データに付与し、静止画用テーブル２１Ｂにおいて、対応する動画評価ＩＤの「評価図形ＩＤ」の項目に登録する。
【００１９】
出力部１４は、評価者端末３２で動作するウェブブラウザに、例えば図３に示すような評価者用画面７０を表示する。評価者用画面７０は、動画の再生または静止画の表示を行うためのメイン表示領域７１と、静止画抽出部１２で抽出された所定数（図３の例では３つ）のフレームが示す静止画のサムネイル画像が表示されるサブ表示領域７２とを含む。また、評価者用画面７０には、描画機能を実現するためのインターフェースとして、描画ツール７３が選択可能に表示される。
【００２０】
また、出力部１４は、評価者により評価依頼が選択されると、図２に示す動画評価情報テーブル２１Ａにおいて、選択された評価依頼の「評価者ＩＤ」の項目に、評価者を識別するための評価者ＩＤを仮登録する。また、出力部１４は、動画評価情報テーブル２１Ａを参照して、選択された評価依頼における評価対象の動画を特定し、特定した動画を示す動画データを動画記憶部２２から取得する。出力部１４は、取得した動画データが示す動画をメイン表示領域７１で再生する。また、出力部１４は、静止画抽出部１２により静止画が抽出されると、静止画用テーブル２１Ｂを参照して、静止画として表示するフレームを特定し、特定したフレームが示す静止画のサムネイル画像をサブ表示領域７２に表示する。
【００２１】
また、出力部１４は、動画の全再生時間中のどの区間に評価図形を反映させるかを示す動画反映ルールを受け付ける。動画の「区間」は、本発明の動画の一部の画像の一例である。出力部１４は、受け付けた動画反映ルール及び動画反映ルールに従って評価図形を重畳表示させる動画の区間を、例えば図２に示すような動画用テーブル２１Ｃに登録する。
【００２２】
図２の例では、動画反映ルールが「全体」の場合は、動画の再生時間の全区間にわたって評価図形を重畳表示させることを表している。また、動画反映ルールが「代表前後」の場合には、動画を構成する複数のフレームのうち、評価者により選択された代表フレームを基準とした前後の所定フレーム数分の区間に評価図形を重畳表示させることを表している。例えば、フレームＩＤが６０のフレームが代表フレームとして選択され、代表フレームの２０フレーム前から３０フレーム後までの区間が指定されたとする。この場合、出力部１４は、「表示開始フレームＩＤ」に「４０」、「表示終了フレームＩＤ」に「９０」を登録する。また、「表示開始フレームＩＤ」及び「表示終了フレームＩＤ」が「ｎｕｌｌ」の場合は、前後のフレーム数が指定されなかった場合を表している。この場合、代表フレームを基準とした予め定めた区間（例えば、前後１５フレーム）を、評価図形を重畳表示する区間とすることができる。
【００２３】
また、動画反映ルールが「代表以降」の場合には、代表フレームから動画の最終フレームまでの区間に評価図形を重畳表示させることを表している。なお、代表フレームは、静止画抽出部１２で抽出されたフレームから選択することができる。また、１つの評価依頼に対して１つの代表フレームが選択されてもよいし、複数の代表フレームが選択されてもよい。
【００２４】
また、出力部１４は、評価図形受付部１３により評価図形データが受け付けられると、選択された評価依頼を示す動画評価ＩＤに対応する評価図形を、静止画用テーブル２１Ｂを参照して特定する。そして、出力部１４は、特定した評価図形を示す評価図形データを評価図形記憶部２３から取得する。また、出力部１４は、動画用テーブル２１Ｃを参照して、評価図形を重畳表示させる動画の区間を特定する。出力部１４は、取得した評価図形データが示す評価図形を、メイン表示領域７１で再生中の動画の、特定した区間において重畳して表示する。さらに、出力部１４は、取得した評価図形データが示す評価図形を、サブ表示領域７２に表示されている静止画に重畳して表示する。この際、メイン表示領域７１のサイズに対するサムネイル画像のサイズで表される縮小率で評価図形を縮小し、動画に対して評価図形が描画された位置に対応する静止画の位置に評価図形を重畳する。
【００２５】
さらに、出力部１４は、ユーザ端末３１で動作するウェブブラウザに、例えば図４に示すようなユーザ用画面７６を表示する。ユーザ用画面７６は、描画ツール７３が表示されない点を除いて、評価者用画面７０と同様である。すなわち、ユーザ用画面７６は、メイン表示領域７７と、サブ表示領域７８とを含む。
【００２６】
また、出力部１４は、ユーザにより評価結果の閲覧が要求されると、対象の動画をメイン表示領域７７で再生すると共に、対応する動画反映ルールに従った動画の区間に、対応する評価図形を重畳表示する。また、出力部１４は、対応する静止画抽出ルールに従って対象の動画から抽出された静止画に、対応する評価図形を重畳し、サムネイル画像としてサブ表示領域７８に表示する。動画の再生、サムネイル画像の表示、及び評価図形の重畳表示の処理については、評価者用画面７０に対する処理と同様であるため、詳細な説明を省略する。また、出力部１４は、評価結果が閲覧されるユーザ端末３１が、動画の再生機能を有さない場合には、メイン表示領域７７に、サムネイル画像のいずれかから選択された静止画に評価図形を重畳して表示する。なお、サムネイル画像の選択を変更することにより、メイン表示領域７７に表示される静止画は切り替えられる。また、評価者用画面７０のメイン表示領域７１にも、同様に、静止画を表示可能としてもよい。
【００２７】
なお、出力部１４は、ユーザ端末３１及び評価者端末３２に対するメニュー画面等の表示、各種情報の送受信も行う。出力部１４によるユーザ端末３１または評価者端末３２への各種画面、動画、及び静止画の表示は、表示する画面等を示すＨＴＭＬ（HyperText Markup Language）データをユーザ端末３１または評価者端末３２に送信することにより行う。
【００２８】
画像編集装置１０は、例えば図５に示すコンピュータ４０で実現することができる。コンピュータ４０はＣＰＵ４１、一時記憶領域としてのメモリ４２、及び不揮発性の記憶装置４３を備える。また、コンピュータ４０は、入出力装置４８が接続される入出力インターフェース（Ｉ／Ｆ）４４を備える。また、コンピュータ４０は、記録媒体４９に対するデータの読み込み及び書き込みを制御するｒｅａｄ／ｗｒｉｔｅ（Ｒ／Ｗ）部４５、及びインターネット等のネットワークに接続されるネットワークＩ／Ｆ４６を備える。ＣＰＵ４１、メモリ４２、記憶装置４３、入出力Ｉ／Ｆ４４、Ｒ／Ｗ部４５、及びネットワークＩ／Ｆ４６は、バス４７を介して互いに接続される。
【００２９】
記憶装置４３はＨＤＤ（Hard Disk Drive）、ＳＳＤ（solid state drive）、フラッシュメモリ等によって実現できる。記憶媒体としての記憶装置４３には、コンピュータ４０を画像編集装置１０として機能させるための画像編集プログラム５０が記憶される。また、記憶装置４３は、動画評価情報記憶領域６１と、動画データ記憶領域６２と、評価図形データ記憶領域６３とを有する。
【００３０】
ＣＰＵ４１は、画像編集プログラム５０を記憶装置４３から読み出してメモリ４２に展開し、画像編集プログラム５０が有するプロセスを順次実行する。画像編集プログラム５０は、評価依頼受付プロセス５１と、静止画抽出プロセス５２と、評価図形受付プロセス５３と、出力プロセス５４とを有する。
【００３１】
ＣＰＵ４１は、評価依頼受付プロセス５１を実行することで、図１に示す評価依頼受付部１１として動作する。また、ＣＰＵ４１は、静止画抽出プロセス５２を実行することで、図１に示す静止画抽出部１２として動作する。また、ＣＰＵ４１は、評価図形受付プロセス５３を実行することで、図１に示す評価図形受付部１３として動作する。また、ＣＰＵ４１は、出力プロセス５４を実行することで、図１に示す出力部１４として動作する。また、ＣＰＵ４１は、動画評価情報記憶領域６１に記憶された情報を読み出して、例えば図２に示すような動画評価情報ＤＢ２１の各テーブルとしてメモリ４２に展開する。なお、動画データ記憶領域６２は、図１に示す動画記憶部２２として機能し、評価図形データ記憶領域６３は、図１に示す評価図形記憶部２３として機能する。これにより、画像編集プログラム５０を実行したコンピュータ４０が、画像編集装置１０として機能することになる。
【００３２】
なお、画像編集装置１０は、例えば半導体集積回路、より詳しくはＡＳＩＣ（Application Specific Integrated Circuit）等で実現することも可能である。
【００３３】
次に、第１実施形態に係る動画評価システム１００の作用について説明する。まず、ユーザがユーザ端末３１上で動作するウェブブラウザを介して、動画評価システム１００によるサービスを受けるためのサイトにログインする。この場合、画像編集装置１０では、図６に示すユーザ用処理が実行される。そして、評価者が評価者端末３２上で動作するウェブブラウザを介して、動画評価システム１００のサイトにログインする。この場合、画像編集装置１０では、図７に示す評価者用処理が実行される。以下、各処理について、図９〜図１１のシーケンス図も参照して説明する。なお、図９〜図１１のシーケンス図では、例えばログインなどの一般的な処理については、一部記載を省略している。
【００３４】
図６に示すユーザ用処理のステップＳ１１で、出力部１４が、ログイン時に入力されたユーザのユーザＩＤを取得する。次に、ステップＳ１２で、出力部１４が、評価依頼または評価結果の閲覧のいずれかを選択するためのメニュー画面を、ユーザ端末３１に表示する。次に、ステップＳ１３で、出力部１４が、ユーザによりメニュー画面から評価依頼が選択されたか否かを判定する。肯定判定の場合には、処理はステップＳ１４へ移行し、否定判定の場合には、メニュー画面から評価結果の閲覧が選択されたと判定して、処理はステップＳ３０へ移行し、後述する閲覧処理が実行される。
【００３５】
ステップＳ１４では、出力部１４が、ユーザが評価依頼を行うための評価依頼画面を表示する（図９の８１）。評価依頼画面は、評価対象の動画の指定、評価者へのコメント等を入力可能な画面であり、評価依頼を画像編集装置１０へ送信する際に選択される送信ボタンを含む。
【００３６】
ユーザは、評価してもらいたい動画を撮影し、評価依頼画面において、評価対象の動画として指定し、必要に応じてコメント等を入力する（図９の８２）。そして、送信ボタンを選択することにより、撮影された動画を示す動画データ、上記ステップＳ１１で取得したユーザＩＤ、及びコメント等を含む評価依頼が画像編集装置１０へ送信される（図９の８３）。なお、送信する動画データは、この時点で撮影された動画を示す動画データに限定されない。予め撮影し、ユーザ端末３１内に記憶しておいた動画データ、または外部から取り込んだ動画データであってもよい。
【００３７】
次に、ステップＳ１５で、評価依頼受付部１１が、ユーザ端末３１から送信された評価依頼を受け付ける。次に、ステップＳ１６で、評価依頼受付部１１が、受け付けた評価依頼に含まれる動画データを動画記憶部２２に記憶する。また、評価依頼受付部１１が、受け付けた評価依頼に動画評価ＩＤを付与し、評価対象の動画を識別するための動画ＩＤと共に、例えば、図２に示すような動画評価情報テーブル２１Ａに登録し、ユーザ用処理を終了する。
【００３８】
次に、図７に示す評価者用処理のステップＳ２１で、出力部１４が、ログイン時に入力された評価者の評価者ＩＤを取得する。次に、ステップＳ２２で、未処理の評価依頼が存在するか否かを判定する。この判定は、例えば、動画評価情報テーブル２１Ａの「評価者ＩＤ」がブランクの評価依頼を、未処理の評価依頼と判定することができる。肯定判定の場合には、処理はステップＳ２３へ移行し、否定判定の場合には、評価者用処理を終了する。
【００３９】
ステップＳ２３では、出力部１４が、評価者によるユーザの指定（図１０の８５）として、評価者端末３２からユーザＩＤを受け付ける（図１０の８６）。そして、出力部１４は、動画評価情報テーブル２１Ａを参照して、指定されたユーザについての未処理の評価依頼を特定し、評価者端末３２に、指定されたユーザの未処理の評価依頼の一覧を表示する（図１０の８６）。
【００４０】
次に、ステップＳ２４で、出力部１４が、評価者により、評価依頼の一覧から選択された（図１０の８８）評価依頼の動画評価ＩＤを受け付ける（図１０の８９）。そして、出力部１４が、評価者端末３２に、例えば図３に示すような評価者用画面７０を表示する（図１０の９０）。次に、出力部１４は、図２に示す動画評価情報テーブル２１Ａにおいて、受け付けた動画評価ＩＤに対応する「評価者ＩＤ」の項目に、ステップＳ２１で取得した評価者ＩＤを仮登録する。また、出力部１４は、受け付けた動画評価ＩＤに対応する動画を、動画評価情報テーブル２１Ａを参照して特定し、特定した動画を示す動画データを動画記憶部２２から取得する（図１０の９１）。そして、出力部１４は、取得した動画データが示す動画をメイン表示領域７１で再生する（図１０の９２）。
【００４１】
次に、ステップＳ２５で、出力部１４が、評価者端末３２に、静止画抽出ルールを選択するための画面を表示する。そして、静止画抽出部１２が、評価者により選択された（図１０の９３）静止画抽出ルールを受け付ける（図１０の９４）。次に、静止画抽出部１２が、動画データを構成する各フレームから、静止画として表示するための所定数のフレームを、選択された静止画抽出ルールに従って抽出する。そして、静止画抽出部１２は、選択された静止画抽出ルール、または静止画抽出ルールに従って実際に抽出したフレームのフレームＩＤを、動画評価ＩＤと対応付けて、図２に示すような静止画用テーブル２１Ｂに登録する（図１０の９５）。そして、出力部１４が、静止画用テーブル２１Ｂを参照して、静止画として表示するフレーム、すなわち、静止画抽出ルールに従って抽出されたフレームを特定し、特定したフレームが示す静止画のサムネイル画像をサブ表示領域７２に表示する（図１０の９６）。
【００４２】
次に、ステップＳ２６で、評価図形受付部１３が、動画が再生されている状態のメイン表示領域７１に対して描画された評価図形を示す評価図形データを受け付ける。例えば、評価者による描画（図１０の９７）が完了した際に、評価者用画面７０に設けられた完了ボタン（図示省略）が評価者により選択されることにより、描画された評価図形を示す評価図形データが画像編集装置１０に送信される（図１０の９８）。
【００４３】
次に、ステップＳ２７で、評価図形受付部１３が、受け付けた評価図形データを評価図形記憶部２３に記憶する。また、評価図形受付部１３は、評価図形ＩＤを評価図形データに付与し、静止画用テーブル２１Ｂにおいて、上記ステップＳ２４で受け付けた動画評価ＩＤに対応する「評価図形ＩＤ」の項目に登録する（図１０の９９）。
【００４４】
次に、ステップＳ２８で、出力部１４が、上記ステップＳ２４で受け付けた動画評価ＩＤに対応する評価図形を、静止画用テーブル２１Ｂを参照して特定し、特定した評価図形を示す評価図形データを評価図形記憶部２３から取得する。そして、出力部１４は、取得した評価図形データが示す評価図形を、サブ表示領域７２に表示されている静止画に重畳して表示する（図１０の１０１）。これにより、図１２に示すように、静止画ではなく、再生されている動画に対して行った評価図形の描画を、図１３に示すように、静止画に反映させることができる。
【００４５】
また、ステップＳ２９で、出力部１４が、評価者端末３２に、動画反映ルールを選択するための画面を表示する。そして、出力部１４が、評価者により選択された（図１０の１０２）動画反映ルールを受け付ける（図１０の１０３）。出力部１４は、受け付けた動画反映ルール及び動画反映ルールに従って評価図形を重畳表示させる動画の区間を、例えば図２に示すような動画用テーブル２１Ｃに登録する（図１０の１０４）。そして、出力部１４は、動画用テーブル２１Ｃを参照して、評価図形を重畳表示させる動画の区間を特定し、受け付けた動画評価ＩＤに対応する評価図形を、メイン表示領域７１で再生中の動画の、特定した区間において重畳して表示する（図１０の１０５）。具体的には、再生する動画を構成するフレームのうち、特定した区間の開始フレームがメイン表示領域７１に表示されるタイミングで評価図形の重畳表示を開始する。そして、特定した区間の終了フレームの次のフレームがメイン表示領域７１に表示されるタイミングで評価図形の重畳表示を終了する。
【００４６】
これにより、図１２に示すように、動画に対して行った評価図形の描画を、図１４に示すように、そのまま動画を再生する際に反映させることができる。また、評価図形を重畳表示させる動画の区間を指定した場合には、図１５に示すように、必要な区間にのみ評価図形を反映させることができる。
【００４７】
次に、ステップＳ３０で、出力部１４が、上記ステップＳ２４で、動画評価情報テーブル２１Ａにおいて仮登録としていた評価者ＩＤを本登録することで、評価結果を確定する。なお、仮登録と本登録とは、「評価者ＩＤ」の項目に、仮登録の状態か本登録の状態かを示す属性情報を持たせること区別することができる。本ステップの処理が終了すると、評価者用処理は終了する。
【００４８】
次に、図６のステップＳ３０で実行される閲覧処理について説明する。図８に示す閲覧処理のステップＳ３１で、出力部１４が、ログイン時に入力されたユーザのユーザＩＤを取得する。次に、ステップＳ３２で、出力部１４が、動画評価情報テーブル２１Ａを参照して、取得したユーザＩＤに対応し、かつ対応する「評価者ＩＤ」の項目が本登録されている動画評価ＩＤの一覧を、ユーザ端末３１に表示する（図１１の１０６）。次に、ステップＳ３３で、出力部１４が、ユーザにより一覧から選択された（図１１の１０７）評価結果を示す動画評価ＩＤを受け付ける（図１１の１０８）。
【００４９】
次に、ステップＳ３４で、出力部１４が、評価結果の閲覧を要求しているユーザ端末３１が動画再生の機能を備えた動画再生対応端末か否かを判定する。この判定は、例えば、上記ステップＳ３１で、ユーザＩＤと共にユーザ端末３１の機種情報など、動画再生対応端末か否かを判定可能な情報を取得しておくことで行える。ユーザ端末３１が動画再生対応端末の場合には、処理はステップＳ３５へ移行し、動画再生非対応端末の場合には、処理はステップＳ３６へ移行する。
【００５０】
ステップＳ３５では、出力部１４が、ユーザ端末３１で動作するウェブブラウザに、例えば図４に示すようなユーザ用画面７６を表示する（図１１の１０９）。そして、出力部１４は、上記ステップＳ３３で受け付けた動画評価ＩＤに対応する動画をメイン表示領域７７で再生すると共に、動画反映ルールに従った動画の区間に、評価図形を重畳表示する。また、出力部１４は、静止画抽出ルールに従って抽出された静止画に評価図形を重畳し、サムネイル画像としてサブ表示領域７８に表示する（図１１の１１０）。
【００５１】
一方、ステップＳ３６では、出力部１４が、ユーザ用画面７６を表示し、メイン表示領域７７に、サムネイル画像のいずれかから選択された静止画に評価図形を重畳して表示する（図１１の１１１）。出力部１４が、サムネイル画像の選択の変更を受け付けた場合には、メイン表示領域７７に表示する静止画を切り替える。
【００５２】
以上説明したように、第１実施形態に係る動画評価システムによれば、画像編集装置が、動画を再生中の表示領域に対して描画された評価図形を、動画を構成する複数のフレームから抽出した静止画上にも重畳表示する。これにより、動画に対して行った描画を静止画にも反映することができる。
【００５３】
また、動画に評価図形を重畳する際の動画の区間を指定可能とすることで、必要以上に評価図形が表示されて、見難くなることを防止することができる。
【００５４】
従来技術のように、静止画に対して評価図形の描画を行う場合において、例えば、ゴルフのスウィングなど、体の動きやその動きに伴う用具の動きのスピードが速いために、描画の対象となる体や用具の部分が静止画上でぶれてしまう場合がある。このような場合には、適切に評価図形を描画することができない場合もある。また、動画の評価、すなわち体の動き等を評価することが目的であるため、動きに沿った評価図形を描画したい場合もあるが、これは静止画に対しては適用することができない。一方で、評価結果を、動画再生機能がない端末で閲覧する場合もある。また、あるワンポイントについて評価図形を確認したい場合など、静止画に評価図形が反映された方がよい場合がある。第１実施形態によれば、上記のように、動画に対して行った描画を静止画に反映させるため、これらの問題を解消することができる。
【００５５】
なお、第１実施形態では、動画に対してどの区間に対して描画が行われるかという点は考慮していないが、この点を考慮した上で、評価図形を静止画に反映させてもよい。例えば、描画開始時に表示領域に表示されていたフレームのフレームＩＤ、及び描画終了時に表示領域に表示されていたフレームのフレームＩＤを記録しておく。そして、描画開始時に対応するフレームから描画終了時に対応するフレームまでを、動画のうちの一部の区間とすることができる。この場合、静止画に評価図形を反映させる際に、上記の区間に含まれるフレームから抽出された静止画に対して、評価図形を重畳表示し、区間外のフレームから抽出された静止画に対しては、評価図形を重畳表示しないようにすることができる。これにより、評価図形に関係ない静止画に対して評価図形が重畳されることを防止することができる。また、静止画抽出部１２により静止画を抽出する際に、描画開始時に対応するフレームから描画終了時に対応するフレームまでの区間から抽出するようなルールを定めてもよい。
【００５６】
また、第１実施形態では、ユーザが評価依頼をする際に評価者の指名は行っていないが、評価者を指名した評価依頼をしてもよい。この場合、評価依頼に、指名する評価者を特定可能な情報を含めておき、画像編集装置１０で評価依頼を受け付けた際に、動画評価情報テーブル２１Ａに「指名評価者」の項目を設け、指名する評価者を示す評価者ＩＤも合わせて登録すればよい。評価者がログインした際には、「指名評価者」の項目がログインした評価者の評価者ＩＤに一致する評価依頼の一覧を、評価者に提示するようにすればよい。
【００５７】
＜第２実施形態＞
次に、第２実施形態について説明する。第１実施形態では、動画に描画した評価図形を静止画及び動画に反映する場合について説明したが、第２実施形態では、静止画に描画した評価図形を動画及び静止画に反映する場合について説明する。なお、第１実施形態に係る動画評価システム１００と同一の部分については、同一符号を付して詳細な説明を省略する。
【００５８】
第２実施形態に係る画像編集装置２１０は、図１に示すように、評価依頼受付部１１と、静止画抽出部２１２と、評価図形受付部２１３と、出力部２１４とを含む。また、画像編集装置２１０は、記憶部２０を含み、記憶部２０には、動画評価情報ＤＢ２２１と、動画記憶部２２と、評価図形記憶部２３とが含まれる。また、動画評価情報ＤＢ２２１は、図１６に示すように、動画評価情報テーブル２１Ａと、静止画用テーブル２２１Ｂと、動画用テーブル２２１Ｃとを含む。以下、各機能部及び動画評価情報ＤＢ２２１の各テーブルについて、主に第１実施形態と異なる点について詳述する。
【００５９】
静止画抽出部２１２は、第１実施形態における静止画抽出部１２と同様に、動画データを構成する各フレームから、静止画として表示するための所定数のフレームを、静止画抽出ルールに従って抽出する。第２実施形態における静止画抽出部２１２は、実際に抽出したフレームのフレームＩＤ毎に、動画評価ＩＤと対応付けて、図１６に示すような静止画用テーブル２２１Ｂに登録する。すなわち、静止画用テーブル２２１Ｂは、抽出した１フレームにつき１行（１レコード）のテーブルとなる。
【００６０】
第２実施形態における評価図形の描画は、静止画が表示された状態のメイン表示領域７１に対して行われる。評価図形受付部２１３は、評価図形データと共に、その評価図形データが示す評価図形が描画された際にメイン表示領域７１に表示されていた静止画を示すフレームＩＤを受け付ける。評価図形受付部２１３は、評価図形ＩＤを評価図形データに付与し、静止画用テーブル２１Ｂにおいて、対応する動画評価ＩＤかつ抽出フレームＩＤの「評価図形ＩＤ」の項目に登録する。
【００６１】
出力部２１４は、評価者により評価依頼が選択されると、一旦、第１実施形態の出力部１４と同様に、選択された評価依頼に対応する動画をメイン表示領域７１で再生する。また、選択された評価依頼に対応する動画から抽出された静止画のサムネイル画像をサブ表示領域７２に表示する。この状態で、評価者により、いずれかのサムネイル画像が選択されると、出力部２１４は、選択されたサムネイル画像に対応する静止画をメイン表示領域７１に表示し、描画可能な状態とする。これにより、図１７に示すように、抽出された静止画の各々に対して、それぞれ異なる評価図形を描画することができる。
【００６２】
また、出力部２１４は、静止画に対して描画された評価図形を動画にも反映する。具体的には、出力部２１４は、評価者から、各静止画に対して描画された評価図形を、動画の全再生時間中のどの区間に各々反映させるかを示す動画反映ルールを受け付ける。出力部２１４は、受け付けた動画反映ルールに従って評価図形を重畳表示させる動画の区間を、例えば図１６に示すような動画用テーブル２２１Ｃに登録する。
【００６３】
図１６の例では、「抽出フレームＩＤ」で示されるフレームは、静止画抽出部２１２により抽出されたフレームである。「表示開始フレーム」及び「表示終了フレーム」は、「抽出フレームＩＤ」で示されるフレームの静止画に対して描画された評価図形を重畳表示する区間を示す。「表示優先度」は、異なる複数の評価図形の各々を表示する区間が重複した場合に、いずれの評価図形を優先して表示するか定めるものである。図１６の例では、表示優先度＝１，２，３・・・の順に優先度が高いことを示す。例えば、動画評価ＩＤ＝４の抽出フレームＩＤ＝４０と９０とでは、フレームＩＤ＝４０〜５０の部分で区間が重複している。この場合、フレームＩＤ＝４０〜５０の部分では、表示優先度の高い抽出フレームＩＤ＝４０のフレームの静止画に対して描画された評価図形が表示される。なお、表示優先度が「ｎｕｌｌ」の場合は、区間が重複している評価図形は全て重畳して表示したり、先に表示している評価図形を優先的に表示したりなど、予め定めた表示方法に従う。
【００６４】
出力部２１４は、評価図形受付部２１３により評価図形データが受け付けられると、選択された評価依頼を示す動画評価ＩＤに対応する各抽出フレームの評価図形を、静止画用テーブル２２１Ｂを参照して特定する。出力部２１４は、特定した評価図形を示す評価図形データの各々を評価図形記憶部２３から取得する。また、出力部２１４は、動画用テーブル２２１Ｃを参照して、各評価図形を重畳表示させる動画の区間を、評価図形毎に特定する。出力部２１４は、取得した評価図形データが示す評価図形を、メイン表示領域７１で再生中の動画の、特定した区間において重畳して表示する。
【００６５】
例えば、図１６に示す動画用テーブル２２１Ｃに登録されている動画評価ＩＤ＝４の例は、図１８に示すように、フレームＩＤ＝２０〜５０の区間では、フレームＩＤ＝４０のフレームの静止画に対して描画された評価図形が重畳表示される。また、フレームＩＤ＝５０〜１００の区間では、フレームＩＤ＝９０のフレームの静止画に対して描画された評価図形が重畳表示される。さらに、フレームＩＤ＝１００〜１５０の区間では、フレームＩＤ＝１３０のフレームの静止画に対して描画された評価図形が重畳表示される。
【００６６】
また、出力部２１４は、例えば図１９に示すように、取得した評価図形データが示す評価図形の各々を、サブ表示領域７２に表示されている対応する静止画の各々に重畳して表示する。この際、メイン表示領域７１のサイズに対するサムネイル画像のサイズで表される縮小率で評価図形を縮小し、動画に対して評価図形が描画された位置に対応する静止画の位置に評価図形を重畳表示する。
【００６７】
画像編集装置２１０は、例えば図５に示すコンピュータ４０で実現することができる。記憶装置４３には、コンピュータ４０を画像編集装置２１０として機能させるための画像編集プログラム２５０が記憶される。ＣＰＵ４１は、画像編集プログラム２５０を記憶装置４３から読み出してメモリ４２に展開し、画像編集プログラム２５０が有するプロセスを順次実行する。画像編集プログラム２５０は、評価依頼受付プロセス５１と、静止画抽出プロセス２５２と、評価図形受付プロセス２５３と、出力プロセス２５４とを有する。
【００６８】
ＣＰＵ４１は、静止画抽出プロセス２５２を実行することで、図１に示す静止画抽出部２１２として動作する。また、ＣＰＵ４１は、評価図形受付プロセス２５３を実行することで、図１に示す評価図形受付部２１３として動作する。また、ＣＰＵ４１は、出力プロセス２５４を実行することで、図１に示す出力部２１４として動作する。他のプロセス及び記憶領域については、第１実施形態と同様に機能する。
【００６９】
なお、画像編集装置２１０は、例えば半導体集積回路、より詳しくはＡＳＩＣ等で実現することも可能である。
【００７０】
次に、第２実施形態に係る動画評価システム１００の作用について説明する。第１実施形態とは、評価者用処理が異なるため、図２０を参照して、評価者用処理について説明する。なお、第１実施形態における評価者端末処理と同一の処理については、同一符号を付して詳細な説明を省略する。
【００７１】
図２０に示す評価者用処理のステップＳ２１〜Ｓ２４を経て、次のステップＳ２２５で、静止画抽出部２１２が、動画データを構成する各フレームから、静止画として表示するための所定数のフレームを、静止画抽出ルールに従って抽出する。そして、静止画抽出部２１２は、実際に抽出したフレームのフレームＩＤ毎に、動画評価ＩＤと対応付けて、図１６に示すような静止画用テーブル２２１Ｂに登録する。さらに、抽出された静止画のサムネイル画像をサブ表示領域７２に表示する。
【００７２】
次に、ステップＳ２３１で、出力部２１４が、評価者により選択されたサムネイル画像に対応する静止画をメイン表示領域７１に表示し、描画可能な状態とする。次に、ステップＳ２２６で、評価図形受付部２１３が、評価図形データと共に、その評価図形データが示す評価図形が描画された際にメイン表示領域７１に表示されていた静止画を示すフレームＩＤを受け付ける。次に、ステップＳ２２７で、評価図形受付部２１３は、受け付けた評価図形データを評価図形記憶部２３に記憶する。そして、評価図形受付部２１３は、評価図形ＩＤを評価図形データに付与し、静止画用テーブル２２１Ｂにおいて、対応する動画評価ＩＤかつ抽出フレームＩＤの「評価図形ＩＤ」の項目に登録する。
【００７３】
次に、ステップＳ２３２で、出力部２１４が、評価者によりサムネイル画像の選択が変更されたか否かを判定する。変更された場合には、処理はステップＳ２３１に戻る。選択が変更されない場合には、処理はステップＳ２２８へ移行する。ステップＳ２２８では、出力部２１４が、選択された評価依頼を示す動画評価ＩＤに対応した評価図形データが示す評価図形の各々を、サブ表示領域７２に表示されている対応する静止画の各々に重畳して表示する。
【００７４】
次に、ステップＳ２２９で、出力部２１４が、評価者から、動画反映ルールを受け付け、動画反映ルールに従って評価図形を重畳表示させる動画の区間を、例えば図１６に示すような動画用テーブル２２１Ｃに登録する。そして、出力部２１４は、選択された評価依頼を示す動画評価ＩＤに対応する各抽出フレームの評価図形を、静止画用テーブル２２１Ｂを参照して特定する。出力部２１４は、特定した評価図形を示す評価図形データの各々を評価図形記憶部２３から取得する。また、出力部２１４は、動画用テーブル２２１Ｃを参照して、各評価図形を重畳表示させる動画の区間を、評価図形毎に特定する。出力部２１４は、取得した評価図形データが示す評価図形を、メイン表示領域７１で再生中の動画の、特定した区間において重畳して表示する。
【００７５】
以上説明したように、第２実施形態に係る動画評価システムによれば、画像編集装置が、静止画を表示中の表示領域に対して描画された評価図形を、再生される動画上にも重畳表示する。これにより、静止画に対して行った描画を動画にも反映することができる。
【００７６】
なお、第１及び第２実施形態における画像編集装置が有する機能の一部は、ユーザ端末または評価者端末上のウェブブラウザで実現されるようにしてもよい。
【００７７】
また、上記では、画像編集プログラム５０が記憶装置４３に予め記憶（インストール）されている態様を説明したが、ＣＤ−ＲＯＭやＤＶＤ−ＲＯＭ等の記憶媒体に記録された形態で提供することも可能である。
【００７８】
以上の各実施形態に関し、更に以下の付記を開示する。
【００７９】
（付記１）
動画の入力を受け付け、
前記動画から１以上の静止画を抽出し、
前記動画を表示する表示画像上のいずれかの位置に対する図形または文字の入力を受け付け、
受け付けた前記図形または文字を、前記動画を表示する表示画像上の前記いずれかの位置に重畳して出力するとともに、前記静止画の表示画像上の前記いずれかの位置に対応する位置にも重畳して出力する
コンピュータにより実行される画像編集方法。
【００８０】
（付記２）
前記出力する処理は、抽出した１以上の前記静止画の全てに対して、前記図形または文字を重畳して出力することを特徴とする付記１記載の画像編集方法。
【００８１】
（付記３）
前記動画に対する図形または文字の入力を受け付ける処理は、該動画のうちの一部の画像に対する入力を受け付け、
前記出力する処理は、抽出した１以上の前記静止画のうち、前記図形または文字の入力を受け付けた前記動画のうちの一部の画像に対応する静止画に対して、前記図形または文字を重畳して出力する
ことを特徴とする付記１記載の画像編集方法。
【００８２】
（付記４）
動画の入力を受け付け、
前記動画から１以上の静止画を抽出し、
抽出した１以上の前記静止画のうちの第一の静止画に対する図形または文字の入力を受け付け、
受け付けた前記図形または文字を、前記第一の静止画に重畳して出力するとともに、前記動画に含まれる複数の静止画のうち、前記第一の静止画に対応する静止画を含む１以上の画像にも重畳した状態で、該動画を出力する
コンピュータにより実行される画像編集方法。
【００８３】
（付記５）
前記出力する処理は、受け付けた前記図形または文字を、前記第一の静止画に対応する静止画以後の画像全てに重畳させる付記４記載の画像編集方法。
【００８４】
（付記６）
動画の入力を受け付ける第１受付部と、
前記動画から１以上の静止画を抽出する抽出部と、
前記動画を表示する表示画像上のいずれかの位置に対する図形または文字の入力を受け付ける第２受付部と、
受け付けた前記図形または文字を、前記動画を表示する表示画像上の前記いずれかの位置に重畳して出力するとともに、前記静止画の表示画像上の前記いずれかの位置に対応する位置にも重畳して出力する出力部と、
を含む画像編集装置。
【００８５】
（付記７）
前記出力部は、抽出された１以上の前記静止画の全てに対して、前記図形または文字を重畳して出力することを特徴とする付記５記載の画像編集装置。
【００８６】
（付記８）
前記第２受付部は、前記動画のうちの一部の画像に対する入力を受け付け、
前記出力部は、抽出した１以上の前記静止画のうち、前記図形または文字の入力を受け付けた前記動画のうちの一部の画像に対応する静止画に対して、前記図形または文字を重畳して出力する
ことを特徴とする付記６記載の画像編集装置。
【００８７】
（付記９）
動画の入力を受け付ける第１受付部と、
前記動画から１以上の静止画を抽出する抽出部と、
抽出した１以上の前記静止画のうちの第一の静止画に対する図形または文字の入力を受け付ける第２受付部と、
受け付けた前記図形または文字を、前記第一の静止画に重畳して出力するとともに、前記動画に含まれる複数の静止画のうち、前記第一の静止画に対応する静止画を含む１以上の画像にも重畳した状態で、該動画を出力する出力部と、
を含む画像編集装置。
【００８８】
（付記１０）
前記出力部は、受け付けた前記図形または文字を、前記第一の静止画に対応する静止画以後の画像全てに重畳させる付記９記載の画像編集装置。
【００８９】
（付記１１）
動画の入力を受け付け、
前記動画から１以上の静止画を抽出し、
前記動画を表示する表示画像上のいずれかの位置に対する図形または文字の入力を受け付け、
受け付けた前記図形または文字を、前記動画を表示する表示画像上の前記いずれかの位置に重畳して出力するとともに、前記静止画の表示画像上の前記いずれかの位置に対応する位置にも重畳して出力する
処理をコンピュータに実行させるための画像編集プログラム。
【００９０】
（付記１２）
前記出力する処理は、抽出した１以上の前記静止画の全てに対して、前記図形または文字を重畳して出力することを特徴とする付記１１記載の画像編集プログラム。
【００９１】
（付記１３）
前記動画に対する図形または文字の入力を受け付ける処理は、該動画のうちの一部の画像に対する入力を受け付け、
前記出力する処理は、抽出した１以上の前記静止画のうち、前記図形または文字の入力を受け付けた前記動画のうちの一部の画像に対応する静止画に対して、前記図形または文字を重畳して出力する
ことを特徴とする付記１１記載の画像編集プログラム。
【００９２】
（付記１４）
動画の入力を受け付け、
前記動画から１以上の静止画を抽出し、
抽出した１以上の前記静止画のうちの第一の静止画に対する図形または文字の入力を受け付け、
受け付けた前記図形または文字を、前記第一の静止画に重畳して出力するとともに、前記動画に含まれる複数の静止画のうち、前記第一の静止画に対応する静止画を含む１以上の画像にも重畳した状態で、該動画を出力する
処理をコンピュータに実行させるための画像編集プログラム。
【００９３】
（付記１５）
前記出力する処理は、受け付けた前記図形または文字を、前記第一の静止画に対応する静止画以後の画像全てに重畳させる付記１４記載の画像編集プログラム。
【符号の説明】
【００９４】
１００ 動画評価システム
１０、２１０  画像編集装置
１１   評価依頼受付部
１２、２１２  静止画抽出部
１３、２１３  評価図形受付部
１４、２１４  出力部
２０   記憶部
２１、２２１  動画評価情報データベース
２１Ａ 動画評価情報テーブル
２１Ｂ、２２１Ｂ     静止画用テーブル
２１Ｃ、２２１Ｃ     動画用テーブル
２２   動画記憶部
２３   評価図形記憶部
３１   ユーザ端末
３２   評価者端末
４０   コンピュータ
４１   ＣＰＵ
４２   メモリ
４３   記憶装置
５０、２５０  画像編集プログラム
７０   評価者用画面
７１   メイン表示領域
７２   サブ表示領域
７３   描画ツール
７６   ユーザ用画面
７７   メイン表示領域
７８   サブ表示領域
【図１】
0006641679.tif 000002
【図２】
0006641679.tif 000003
【図３】
0006641679.tif 000004
【図４】
0006641679.tif 000005
【図５】
0006641679.tif 000006
【図６】
0006641679.tif 000007
【図７】
0006641679.tif 000008
【図８】
0006641679.tif 000009
【図９】
0006641679.tif 000010
【図１０】
0006641679.tif 000011
【図１１】
0006641679.tif 000012
【図１２】
0006641679.tif 000013
【図１３】
0006641679.tif 000014
【図１４】
0006641679.tif 000015
【図１５】
0006641679.tif 000016
【図１６】
0006641679.tif 000017
【図１７】
0006641679.tif 000018
【図１８】
0006641679.tif 000019
【図１９】
0006641679.tif 000020
【図２０】
0006641679.tif 000021